(57)【要約】【課題】可撓性のホースとともに引き出し可能な吐水ヘッドを有する水栓において、その吐水ヘッドの構造を簡素なものとなしてその重量も軽くし、コストを低減するとともに、吐水操作に際して面倒な操作を行うことなく容易に操作できるようにする。【解決手段】先端の吐水口３２から吐水を行う水栓の吐水管２２を、軸方向に２分割して先端側の管部を可撓性のホース４２とともに基管部３６より引出可能な吐水ヘッド３４として構成する。その吐水ヘッドは、１本の整流束での吐水を行わず、シャワー吐水だけを行うようになしてあって、整流束吐水とシャワー吐水との間で切替えを行う切替機構，切替弁，切替スイッチを備えないものとする。【選択図】        図６
2004150219.tif 000002
【特許請求の範囲】
【請求項１】
先端に設けられた吐水口から吐水を行う水栓の吐水管であって、
基端と先端の中間位置で軸方向に２分割されていて、先端側の管部が可撓性のホースとともに基端側の基管部より引出可能な吐水ヘッドとして構成されているとともに、該吐水ヘッドは１本の整流束での吐水を行わず、シャワー吐水だけを行うようになしてあって、該吐水ヘッドには整流束吐水とシャワー吐水との間で切替えを行う切替機構，切替弁，切替スイッチが備えられていないことを特徴とする水栓の吐水管。
【請求項２】
請求項１において、前記水栓が洗面化粧台の水栓又はキッチンシンクに吐水を行うキッチン水栓であることを特徴とする水栓の吐水管。
【請求項３】
請求項１，２の何れかにおいて、前記吐水管が縦の取付壁に取り付けられて前方に延出する形態の吐水管であることを特徴とする水栓の吐水管。
【請求項４】
請求項１〜３の何れかにおいて、前記シャワー吐水を行うシャワー孔が直径３０ｍｍの円より小範囲の面積内に分散配置されていることを特徴とする水栓の吐水管。
【請求項５】
請求項１〜４の何れかにおいて、前記吐水ヘッドのシャワー吐水が実質的に広がりのないストレート吐水であることを特徴とする水栓の吐水管。
【請求項６】
請求項１〜５の何れかにおいて、前記吐水管は管体が基端から先端に到るまで太さが一様か又は基端が先端にかけて太さが滑らかに連続して細くなる形状をなしていることを特徴とする水栓の吐水管。
【発明の詳細な説明】
【０００１】
【発明の属する技術分野】
この発明は水栓の吐水管に関し、特に洗面化粧台の水栓やキッチン水栓且つ壁付きの水栓に適用して好適なものに関する。
【０００２】
【従来の技術】
従来、吐水口からの吐水を行う吐水ヘッドを、これに接続した可撓性のホースとともに引出可能となした水栓が洗髪洗面用水栓，キッチン用水栓等として広く用いられている。
従来これらの水栓は、通常洗面ボウルやシンク等より奥部の水平な取付面から起立する状態で設けられている。
【０００３】
図１４はこの種水栓の従来の一例を示している。
同図において２００は取付基体としてのカウンターで、このカウンター２００に対し、水栓本体２０２と吐水部２０４とが離隔した位置において取付固定されている。
水栓本体２０２には水，湯のサプライ管２０６が接続されており、それらサプライ管２０６を通じて水栓本体２０２に水と湯とが供給される。
【０００４】
水栓本体２０２は、供給された水と湯とをハンドル２０８の操作に基づいて所定比率で混合し、その混合水を流出管２１０を通じて外部に流出する。
この流出管２１０には可撓性のホース２１２が接続されており、混合水がこのホース２１２を通じて後述の吐水ヘッド２１４に送られる。
【０００５】
吐水部２０４はこの吐水ヘッド２１４と、これを保持する管状且つ湾曲形状のヘッドホルダ２１６とを有している。
このヘッドホルダ２１６にはスライド管２１８が一体的に昇降する状態で連結されており、このスライド管２１８が、外周面に雄ねじを有するガイド管２２０内にスライド可能に挿通されている。
【０００６】
この吐水ヘッド２１４には、スライド管２１８，ヘッドホルダ２１６内を挿通したホース２１２の先端部が接続されており、吐水ヘッド２１４がこのホース２１２とともにヘッドホルダ２１６から引出可能とされている。
【０００７】
従来この種の水栓の吐水ヘッドは、例えば下記特許文献１に開示されているように、吐水を１本の整流束で吐水する整流束吐水と、シャワー状に吐水するシャワー吐水の何れの吐水も可能で、それら吐水が切り替えられるように構成されていた。
【０００８】
図１５は下記特許文献１に開示された吐水ヘッドを示したもので、図中２１４は吐水ヘッドであり、この吐水ヘッド２１４にホース２１２が接続されている。
吐水ヘッド２１４の下面には吐水口２２２が設けられている。
【０００９】
吐水口２２２は中心の口径の大きな中心口２２２−１と、その周りのシャワー孔２２２−２とを有しており、その中心口２２２−１から吐水を１本の整流束としてストレート吐水（整流束吐水）し、またその周りのシャワー孔２２２−２から吐水をシャワー状に分散して吐水するようになっている。
【００１０】
吐水ヘッド２１４の前面には、それら整流束吐水とシャワー吐水とを切り替えるための切替スイッチ２２４が設けられており、更に吐水ヘッド２１４の内部には、その切替スイッチ２２４の操作に応じて流路を切り替える切替弁２２６と、上面において切替弁２２６を摺動させる弁座プレート２２８及び切替スイッチ２２４の切替操作に応じこれと一体に回転運動し、その操作力を切替弁２２６に伝えて移動させる軸部２３０を含む切替機構２３２が設けられている。
【００１１】
【特許文献１】
特開２００１−３１１１８８号公報
【００１２】
【発明が解決しようとする課題】
図１４，図１５に代表されるこの種の水栓、即ち吐水ヘッドが可撓性のホースとともに引出可能な水栓においては、吐水ヘッドが１本の整流束吐水とシャワー吐水との何れをも行い得るように構成されていた。
これはある面では２種類の吐水を行い得て便利であるが、他面において、目的によって吐水の種類を切替操作しなければならず、面倒である問題もある。
【００１３】
加えて吐水ヘッド２１４に流路切替えのための切替弁２２６や切替スイッチ２２４、更に弁座プレート２２８，軸部２３０等を含む切替機構２３２等を吐水ヘッド２１４に設けなければならないことから構造が複雑となり、また重量も重くなり、更にコストも高くなる。
また吐水ヘッド２１４内部にそれら切替弁２２６や切替機構２３２等を内蔵しなければならないため、それらが吐水ヘッド２１４内部において広いスペースを占有してしまう問題も内在している。
【００１４】
しかしながら吐水ヘッドからの吐水に際し、洗髪等を行う際にはシャワー吐水は必要であるものの、１本の整流束吐水といったものは必ず必要と言えるものでもない。
従来の広い範囲に亘ってシャワー吐水を行う場合には、中心部からの１本の整流束吐水も必要となる場合があるが、シャワー吐水の形態を従来と異ならせることで、１本の整流束吐水に代えてシャワー吐水を行うことでも十分目的の達成は可能と考えられる。
【００１５】
【課題を解決するための手段】
本発明の水栓の吐水管はこのような課題を解決するために案出されたものである。
而して請求項１のものは、先端に設けられた吐水口から吐水を行う水栓の吐水管であって、基端と先端の中間位置で軸方向に２分割されていて、先端側の管部が可撓性のホースとともに基端側の基管部より引出可能な吐水ヘッドとして構成されているとともに、該吐水ヘッドは１本の整流束での吐水を行わず、シャワー吐水だけを行うようになしてあって、該吐水ヘッドには整流束吐水とシャワー吐水との間で切替えを行う切替機構，切替弁，切替スイッチが備えられていないことを特徴とする。
【００１６】
請求項２のものは、請求項１において、前記水栓が洗面化粧台の水栓又はキッチンシンクに吐水を行うキッチン水栓であることを特徴とする。
【００１７】
請求項３のものは、請求項１，２の何れかにおいて、前記吐水管が縦の取付壁に取り付けられて前方に延出する形態の吐水管であることを特徴とする。
【００１８】
請求項４のものは、請求項１〜３の何れかにおいて、前記シャワー吐水を行うシャワー孔が直径３０ｍｍの円より小範囲の面積内に分散配置されていることを特徴とする。
【００１９】
請求項５のものは、請求項１〜４の何れかにおいて、前記吐水ヘッドのシャワー吐水が実質的に広がりのないストレート吐水であることを特徴とする。
【００２０】
請求項６のものは、請求項１〜５の何れかにおいて、前記吐水管は管体が基端から先端に到るまで太さが一様か又は基端が先端にかけて太さが滑らかに連続して細くなる形状をなしていることを特徴とする。
【００２１】
【作用及び発明の効果】
以上のように本発明の水栓の吐水管は、基端と先端の中間位置で軸方向に２分割されていて、先端側の管部が可撓性のホースとともに引出可能な吐水ヘッドとして構成され、而してこの吐水ヘッドは１本の整流束での吐水を行わず、シャワー吐水だけを行うように構成したものである。
【００２２】
この吐水管の場合、従来の吐水ヘッドのように下面中心部に口径の大きな整流束吐水用の中心口を設ける必要がなく、加えて整流束吐水とシャワー吐水との切替えを行う必要がないため、切替スイッチや切替弁、更には切替機構も不要であって、これにより吐水ヘッドの構造が簡素な構造となるとともに重量も軽減し、コストも低減することができる。
【００２３】
また吐水ヘッド内部において切替機構や切替弁等が広いスペースを占有することがないので、吐水ヘッドをコンパクトに構成することができるとともに、吐水ヘッド内部の空間を広く活用することが可能となる。
また整流束吐水とシャワー吐水との切替えを行わないため、従来のように切替操作をする必要がなく、その際に生じていた面倒をなくすことができる。
【００２４】
本発明は、吐水管を軸方向に２分割してその先端側を吐水ヘッドとして構成した点を特徴としており、従って吐水ヘッドを本来のセット位置に戻して基管部と連続させた状態で外観上１本の吐水管となり、その状態で吐水を行ったとき、吐水管がシャワー吐水することとなる特徴も有している。
即ち、従来１本の整流束で吐水を行うものと観念されていた吐水管が、本発明ではシャワー吐水を行う点で従来の吐水管と異なっている。
【００２５】
この場合においてその吐水管は、管体が縦の取付壁に取り付けられて前方に延出する形態の吐水管となしておくことができる（請求項３）。
またかかる吐水管は、管体が基端から先端に到るまで太さが一様か又は基端から先端にかけて太さが滑らかに連続して細くなる形状となしておくことができる（請求項６）。
【００２６】
本発明は、特に洗面化粧台の水栓又はキッチンシンクに吐水を行うキッチン水栓に適用して特に好適なものである（請求項２）。
【００２７】
また本発明では、吐水ヘッドにおけるシャワー孔を直径３０ｍｍの円以下の小面積範囲内に分散配置しておくことができる（請求項４）。
これにより、吐水ヘッドからシャワー吐水を行った場合においても、従来の中心口からの整流束吐水とほぼ同様の効果を持たせることができる。例えばバケツやコップ等の容器に吐水を行ったりする際にも、かかるシャワー吐水にても十分にその目的を達成することが可能となる。
【００２８】
本発明ではまた、吐水ヘッドのシャワー吐水を実質的に広がりのないストレート吐水となしておくことができる（請求項５）。
この場合においてシャワー孔は、吐水口の軸心と実質平行の向きで形成しておくことができる。
即ちシャワー孔からの各シャワー水を、吐水口の軸心と平行の向きで吐水するようになすことができる。
【００２９】
【実施例】
次に本発明を、洗面化粧台に設置される洗髪洗面用水栓に適用した場合の実施例を図面に基づいて詳しく説明する。
図１及び図２において、１０は洗面化粧台で洗面器１２とその下側のキャビネット１４と、洗面器１２の後部において垂直に立ち上がる取付壁１６とを有している。
ここで洗面器１２と取付壁１６とは樹脂製で、取付壁１６はこの洗面器１２に一体に成形されている。
そしてその取付壁１６の前面の垂直な壁面を取付面として、本例の水栓１８が取り付けられている。
【００３０】
本例の水栓１８はシングルレバー式の水栓であって、図３に示しているように左右に離隔して取付壁１６に取り付けられた水栓本体２０と、吐水管２２とを有している。
水栓本体２０は取付壁１６の前面の壁面からほぼ水平に前方に突き出しており、その前部にレバー式のハンドル２４が設けられている。
【００３１】
ハンドル２４は下向きに垂下する主操作部としてのレバー部２６を有しており、またその上部には副操作部２８が設けられている。
この水栓１８では、ハンドル２４を使用者から見て左右に回動操作することで吐水の温度調節が行われ、またレバー部２６を持ってハンドル２４を前後回動操作することで吐止水及び吐水の水量調節が行われる。
【００３２】
詳しくは、図５に示すようにこの例ではレバー部２６を使用者側の前方に引くことで吐水が開始され或いは吐水の水量が増大する。また逆にレバー部２６を後方に押すことで水量の減少及び止水が行われる。
但し本例のハンドル２４の場合、その上部に副操作部２８が設けられていて、この副操作部２８を押動操作することによっても吐水開始操作或いは水量増大操作を行い得るようになっている。
ここで副操作部２８には滑止めのため、即ち操作力を効率的にハンドル２４に伝えるための複数の突起３０が設けられている。
【００３３】
上記吐水管２２は、図１１（Ｃ）に示しているように管体の横断面形状が略横長の四角形状（厳密には上面が若干上方に膨出した湾曲形状をなしている）をなしており、且つ平面形状において太さが基端から先端にかけてほぼ一様な太さの形状で、また側面形状において基端から先端にかけて太さが滑らかに連続して細くなる形状をなしている。
【００３４】
また基端の先端との間の中間位置、詳しくは基端と先端との間の中央よりも基端側、つまり取付壁１６側に偏った位置において軸方向に２分割されており、先端側が下面に吐水口３２の設けられた吐水ヘッド３４として、また基端側の基管部３６がこれを保持するヘッドホルダとして構成されている。
【００３５】
図６に示しているように、吐水ヘッド３４はヘッド本体３８と、ヘッドカバー４０とを有しており、それらを組み付けて構成してある。
【００３６】
ホース４２は、この基管部３６及びその先端部の筒状のホースガイド４４を挿通して、先端部が吐水ヘッド３４、詳しくはヘッドカバー４０内部のヘッド本体３８に接続されている。
吐水ヘッド３４は、図４に示すようにこのホース４２の可撓性に基づいて基管部３６からホース４２とともに引出可能とされている。
【００３７】
図１に示しているように、取付壁１６の裏側には水，湯のサプライ管４６が配管されていて、それらの上端部が水栓本体２０に接続され、水，湯がそれらサプライ管４６を通じて水栓本体２０へと供給されるようになっている。
【００３８】
水栓本体２０に供給された水，湯はそこで所定比率に混合され、その混合水が取付壁１６裏側の流出管４８を通じて流出する。
そしてその流出管４８に接続された可撓性のホース４２を通じて上記の吐水管２２、詳しくは先端側の吐水ヘッド３４へと導かれる。
【００３９】
図６に示しているように、ヘッド本体３８は先端に吐水用の開口５０を、またこの吐水用の開口５０に続いて内部水路５２を有しており、ホース４２を通じて送られて来た水（混合水，湯を含む）が、この内部水路５２を通じて吐水用の開口５０に導かれ、更に吐水口３２から下向きに吐水される。
【００４０】
一方ヘッドカバー４０は、前端壁５３を有する筒状形態で形成されている。
詳しくはこのヘッドカバー４０は前端が閉鎖、後端が開放形状の筒形状をなしており、その後端の開放部からヘッド本体３８が内部に挿入されて組み付けられている。
【００４１】
ヘッドカバー４０の先端部下面には吐水口形成用の開口５４が形成されており、その吐水口形成用の開口５４において筒状の吐水口部材５６が装着されている。
ここで吐水口部材５６は、その中心部を挿通して止ビス６０をヘッド本体３８の雌ねじ筒５８にねじ込むことで、開口５４内に嵌り込む状態でヘッド本体３８に固定されている。
【００４２】
この吐水口部材５６の下面にはシャワー孔６２が中心回りに多重円をなすように配置されており、シャワーホース４２を通じて送られて来た水が、これらシャワー孔６２から下方にシャワー水として噴射されるようになっている。
【００４３】
図６に示しているように、本例の吐水ヘッド３４は通常のこの種の吐水ヘッドのように１本の整流束吐水とシャワー吐水との両方を行うものではなく、シャワー吐水だけを行うように構成されている。即ち吐水ヘッド３４の下面、具体的には吐水口部材５６の下面には、通常の吐水ヘッドにおけるような整流束吐水のための中心孔が形成されておらず、その下面を構成する散水板８８にシャワー孔６２のみが形成されていて、これらシャワー孔６２からのシャワー吐水だけを行うようになっている。
【００４４】
従って本例において、吐水ヘッド３４には図１５に示した吐水ヘッドのように整流束吐水を行うための中心口２２２−１，流路を切り替えるための切替弁２２６，整流束吐水とシャワー吐水とを切り替えるための切替スイッチ２２４，弁座プレート２２８，軸部２３０等を含む切替機構等は設けられておらず、従って簡素な構造をなしている。
【００４５】
図１２にその吐水口部材５６の具体的構成が示してある。同図に示しているように散水板８８には多数のシャワー孔６２が、散水板８８の中心周りに５重の円を画くように分散配置されている。
ここで最外周の最大の円の直径は本例では２８ｍｍ以下の小寸法である。即ち多数のシャワー孔６２が中心周りの狭い面積範囲内に多数分散配置されている。
【００４６】
本例においてはまた、各シャワー孔６２が図１２（Ａ）の部分拡大図に示しているように、吐水口部材５６の軸心と平行をなす向きで形成されている。即ち吐水口部材５６の軸心と直角をなす散水板８８に対し、各シャワー孔６２の軸心が直角をなす向きで形成されている。
従って本例では、各シャワー孔６２からのシャワー水は吐水口部材５６の軸心と平行方向のストレート吐水となる。
尚この例において、シャワー孔６２の先端の孔径は直径で０．５ｍｍである。
【００４７】
図７〜図１０に、吐水ヘッド３４におけるヘッド本体３８とヘッドカバー４０との組付構造が詳しく示してある。
図８（Ａ）に示しているように、ヘッドカバー４０の上部内面には一対の溝形成板６６が下向きに突き出す状態で前後方向に平行に設けられており、それら溝形成板６６によって、内側に前後方向に延びるガイド溝６８が形成されている。
【００４８】
一方ヘッド本体３８には、ガイド溝６８に対応する位置において前後方向に延びる板状のガイド突条７０が上向きに突出する状態で設けられている。
ヘッド本体３８は、ヘッドカバー４０への挿入時にこの突条７０がガイド溝６８内に嵌入し且つ前後に摺動することによって、ヘッドカバー４０への挿入時の挿入案内がなされる。
【００４９】
図７に示しているように、ヘッドカバー４０の下部には掛止突起７２が上向きに突出形成されている。
一方ヘッド本体３８の対応する位置には、ヘッド本体３８の挿入時にこの掛止突起７２を弾性的に乗り越えた上で、その掛止突起７２に対し抜止方向に掛止する弾性を有する掛止爪７４が形成されており、それら掛止突起７２と掛止爪７４との掛止作用に基づいて、ヘッドカバー４０に挿入されたヘッド本体３８が、ヘッドカバー４０から抜止めされるようになっている。
【００５０】
このヘッド本体３８にはまた、その前端部に押圧ばね片７６が一体に成形されており、ヘッド本体３８の挿入完了状態で、この押圧ばね片７６がヘッドカバー４０の前端壁５３に当接して弾性変形し、ヘッド本体３８を図中右向き、即ちヘッド本体３０の挿入方向とは反対の後退方向に付勢している。
即ちここでは前端壁５３が、押圧ばね片７６を当接させる当接部となっている。
【００５１】
そしてその付勢力によって掛止突起７２と掛止爪７４とが強固な掛止状態に保持され、これによりヘッド本体３８が図７中前後方向にがたつきなくしっかりと保持されている。
【００５２】
ヘッド本体３８にはまた、ヘッドカバー４０内においてヘッド本体３８の姿勢を予め定めた姿勢に規制するための多数の姿勢規制用の突起が設けられている。即ち、ヘッド本体３８における前部の大径部７８の縁部には下向きの突起８０と両側面に左右一対の突起８３（図８（Ａ）参照）が、また挿入案内用の突条７０に前後一対の突起８２が、また図７，図９，図１０に示すように基端側のフランジ部８４の外周部に沿って複数の突起８６がそれぞれ形成されており、各突起８０，８２，８３，８６が、それぞれヘッドカバー４０の内面にそれぞれ当接するようになっている。即ちここではヘッドカバー４０の内面の各部が、それら突起を当接させる被当接部として構成されている。
【００５３】
そして本例では、これら突起８０，８２，８３，８６のヘッドカバー４０内面への当接作用によって、更には各突起８０，８２，８３，８６が永久変形することによって、ヘッドカバー４０内部に挿入されたヘッド本体３８の姿勢が予め定めた正しい姿勢に拘束保持される。
【００５４】
尚、図７に示しているように上記掛止突起７２及び掛止爪７４は、ヘッドカバー４０における開口５４の近傍に配置されており、ヘッドカバー４０に組み付けられたヘッド本体３８を、ヘッドカバー４０から取り出す際には、その開口５４からドライバ等の工具を差し込んで、弾性を有する掛止爪７４を上向きに押し上げ、掛止突起７２に対する掛止を解除することで、ヘッド本体３８をヘッドカバー４０から容易に抜き出すことができる。
【００５５】
本例の吐水ヘッドの場合、ヘッドカバー４０に対しヘッド本体３８をその後端の開放部から前方に押し込んで挿入するだけで、簡単にヘッド本体３８をヘッドカバー４０に組み付けることができる。
【００５６】
以上のように構成された本例の水栓の吐水管では、従来の吐水ヘッドのように吐水ヘッドの下面中心部に口径の大きな整流束吐水用の中心口を設ける必要がなく、加えて整流束吐水とシャワー吐水との切替えを行う必要がないため、切替スイッチや切替えのための切替弁、更には切替機構も不要であって、これにより吐水ヘッド３４の構造が簡素な構造となるとともに重量も軽減し、コストも低減することができる。
【００５７】
また吐水ヘッド３４内部において切替機構や切替弁等が広いスペースを占有することがないので、吐水ヘッド３４をコンパクトに構成することができるとともに、吐水ヘッド３４内部の空間を広く活用することが可能となる。
また整流束吐水とシャワー吐水との切替えを行わないため、従来のように切替操作をする必要がなく、その際に生じていた面倒をなくすことができる。
【００５８】
本例の吐水管２２は、これを軸方向に２分割して、その先端側を吐水ヘッド３４として構成した点を特徴としており、従って吐水ヘッド３４を本来のセット位置に戻して基管部３６と連続させた状態で外観上１本の吐水管となり、その状態で吐水を行ったとき、通常の吐水管と同様の外観の吐水管２２がシャワー吐水する特徴も有している。
【００５９】
また本例では吐水ヘッド３４におけるシャワー孔を小面積範囲内に分散配置してあるため、吐水ヘッド３４からシャワー吐水を行った場合においても、従来の中心口からの整流束吐水とそれほど変らず、ほぼ同様の効果を有することができる。
またシャワー孔６２を吐水口３２の軸心と平行の向きで形成してあるため、シャワー孔６２からの各シャワー水を吐水口３２の軸心と平行の向きでストレート吐水することができる。
【００６０】
以上本発明の実施例を詳述したがこれはあくまで一例示であり、本発明は例えばキッチン水栓に対して適用することも可能であるなど、その趣旨を逸脱しない範囲において種々変更を加えた形態で構成可能である。
【図面の簡単な説明】
【図１】本発明の一実施例の水栓を洗面化粧台に取り付けた状態でこれを裏側から示す図である。
【図２】図１の洗面化粧台の要部断面図である。
【図３】同実施例の水栓を取付状態において正面から見た図である。
【図４】図３の水栓の一作用状態を示す図である。
【図５】図３の水栓本体をハンドルとともに示す図である。
【図６】図３の吐水部の縦断面図である。
【図７】同実施例における吐水ヘッドの縦断面図である。
【図８】（Ａ）：同実施例における吐水ヘッドの横断面図である。
（Ｂ）：（Ａ）とは異なった位置の横断面図である。
【図９】同実施例における吐水ヘッドのヘッド本体の斜視図である。
【図１０】同実施例における吐水ヘッドのヘッド本体の平面図及び正面図である。
【図１１】図３の吐水管の外形形状を具体的に示した図である。
【図１２】図６における吐水口部材の構成を具体的に示した図である。
【図１３】同実施例における吐水ヘッドの組付方法の説明図である。
【図１４】従来の水栓をカウンターに取り付けた状態の図である。
【図１５】従来公知の水栓の吐水ヘッドの部分を示した図である。
【符号の説明】
１０  洗面化粧台
１６  取付壁
１８  水栓
２２  吐水管
３２  吐水口
３４  吐水ヘッド
３６  基管部
４２  ホース
【図１】
2004150219.tif 000003
【図２】
2004150219.tif 000004
【図３】
2004150219.tif 000005
【図４】
2004150219.tif 000006
【図５】
2004150219.tif 000007
【図６】
2004150219.tif 000008
【図７】
2004150219.tif 000009
【図８】
2004150219.tif 000010
【図９】
2004150219.tif 000011
【図１０】
2004150219.tif 000012
【図１１】
2004150219.tif 000013
【図１２】
2004150219.tif 000014
【図１３】
2004150219.tif 000015
【図１４】
2004150219.tif 000016
【図１５】
2004150219.tif 000017